(57)【要約】  【課題】  シート詰まりの発生などにより，後処理装置の制御が不能となるトラブルが発生した場合であっても，最低限，画像形成処理済みのシートを排紙トレイへ排出するための搬送路を確保すること。  この場合において，冗長性を持たせた構成は採用せず，なるべく低コスト且つ簡易な構成で，上記のような画像形成システムを提供すること。  【解決手段】  画像形成装置側制御部１０は，切換爪と連結されたこれらを揺動させるソレノイド６００，ストレート処理搬送路に沿ってシートを搬送するための搬送ローラと連結されてこれらを回転させるモータ７００と結線されており，これらの動作を制御する。後処理装置ＤＦにおける後処理工程において所定の不具合が検出された場合，上記ソレノイド６００，モータ７００を作動させることで，シートを後処理工程を経ることなく排紙トレイへ導き排出する。【選択図】  図２
2005306566.tif 000002
【特許請求の範囲】
【請求項１】
画像形成装置と，該画像形成装置に設けられた排紙部から排出される画像形成済みシートに対して更なる後処理を実行する後処理装置とが連結されて構成された画像形成システムにおいて，
上記画像形成装置から排出された後，上記更なる後処理を受けないシートが排出される第１の排紙トレイと，
上記画像形成装置から排出された後，上記更なる後処理を受けたシートが排出される第２の排紙トレイと，
が上記後処理装置に設けられ，
上記排紙部から排出されたシートに上記更なる後処理を実行した後，上記第２のトレイに上記シートを排出する後処理工程に所定の不具合が検出された場合に，その後上記排紙部から排出されるシートを上記後処理工程を経ることなく上記第１の排紙トレイへ導き排出するショートカット排出手段の制御部が上記画像形成装置内に設けられてなることを特徴とする画像形成システム。
【請求項２】
上記後処理装置が，
上記排紙部から排出されたシートを上記後処理工程を経由させるための後処理搬送路又は上記排紙部から排出されたシートを上記後処理工程を経ることなく上記第１の排紙トレイへ導き排出するストレート工程を経由させるためのストレート処理搬送路のいずれを用いるかを切り換える搬送路切換手段と，
上記シートを上記ストレート処理搬送路に沿って搬送する第１の搬送手段と，
上記シートを上記後処理搬送路に沿って搬送する第２の搬送手段と，
上記後処理工程における所定の不具合を検出する不具合検出センサと，
を備え，
上記不具合検出センサにより上記後処理工程における上記所定の不具合が検出された場合には，
上記搬送路切換手段が，上記排紙部から排出されたシートを上記ストレート処理搬送路へ導くように搬送路を切り換えると共に，
上記ショートカット排出手段の制御部が，
上記第１の搬送手段を制御して，上記排紙部から排出された上記シートを，上記ストレート処理搬送路を経由して第１の排出トレイに排出するものである請求項１に記載の画像形成システム。
【請求項３】
常時は上記第２の搬送手段を制御可能な第１の後処理装置側制御手段が上記後処理装置側に設けられ，
上記ショートカット排出手段の制御部が，
画像形成装置全般の制御を司ると共に，常時上記第１の搬送手段を制御し，
上記不具合検出センサにより上記後処理工程における所定の不具合が検出された場合には，上記排紙部から排出されたシートを上記搬送路切換手段によって切り換えられた上記ストレート処理搬送路を経由して上記第１の排出トレイに排出するものである請求項２に記載の画像形成システム。
【請求項４】
上記不具合検出センサにより上記後処理工程における所定の不具合が検出された場合には，上記ショートカット排出手段の制御部が，上記搬送路切換手段を制御して搬送路の切り換えを行ってなる請求項３に記載の画像形成システム。
【請求項５】
上記不具合検出センサにより上記後処理工程における所定の不具合が検出された場合には，上記第１の後処理装置側制御手段が，上記搬送路切換手段を制御して搬送路の切り換えを行ってなる請求項３に記載の画像形成システム。
【請求項６】
常時は上記第１の搬送手段と第２の搬送手段とを共に制御可能な第２の後処理装置側制御手段が，上記後処理装置に設けられ，
上記ショートカット排出手段の制御部が，
画像形成装置全体の制御を司ると共に，少なくとも上記第１の搬送手段を制御可能であり，且つ
上記不具合検出センサにより上記後処理工程における所定の不具合が検出された場合には，少なくとも上記第１の搬送手段の制御を上記第２の後処理装置側制御手段から上記自らの制御に切り換え，排紙部から排出されたシートを上記搬送路切換手段により切り換えられた上記ストレート処理搬送路を経由して上記第１の排紙トレイに排出するものである請求項２に記載の画像形成システム。
【請求項７】
上記ショートカット排出手段の制御部が，上記第１の搬送手段に加え，上記第２の搬送手段を制御可能であり，且つ
上記不具合検出センサにより上記後処理工程における所定の不具合が検出された場合には，上記第１の搬送手段の制御に加え，上記第２の搬送手段の制御を上記第２の後処理装置側制御手段から上記自らの制御に切り換えるものである請求項６に記載の画像形成システム。
【請求項８】
上記不具合検出センサにより上記後処理工程における所定の不具合が検出された場合には，上記ショートカット排出手段の制御部が，上記搬送路切換手段を制御して搬送路の切り換えを行ってなる請求項６又は７のいずれかに記載の画像形成システム。
【請求項９】
上記不具合検出センサにより上記後処理工程における所定の不具合が検出された場合には，上記第２の後処理装置側制御手段が，上記搬送路切換手段を制御して搬送路の切り換えを行なってなる請求項６又は７のいずれかに記載の画像形成システム。
【請求項１０】
上記第１のトレイ及び上記第２のトレイが同一のトレイからなる請求項１ないし９のいずれかに記載の画像形成システム。
【請求項１１】
画像形成装置と連結され，該画像形成装置に設けられた排紙部から排出される画像形成済みシートに対して更なる後処理を実行する後処理装置において，
上記画像形成装置から排出された後，上記更なる後処理を受けないシートが排出される第１の排紙トレイと，
上記画像形成装置から排出された後，上記更なる後処理を受けたシートが排出される第２の排紙トレイと，
が設けられ，
上記排紙部から排出されたシートに上記更なる後処理を実行した後，上記第２のトレイに上記シートを排出する後処理工程に所定の不具合が検出された場合に，上記画像形成装置側の制御部からの制御により，その後上記排紙部から排出されるシートを上記後処理工程を経ることなく上記第１の排紙トレイへ導き排出することを特徴とする後処理装置。
【請求項１２】
排出された画像形成済みシートに対して更なる後処理を実行し，
画像形成装置から排出された後，上記更なる後処理を受けないシートが排出される第１の排紙トレイと，
画像形成装置から排出された後，上記更なる後処理を受けたシートが排出される第２の排紙トレイと，
が設けられた後処理装置と連結され，
上記画像形成済みシートを上記後処理装置へ排出する排紙部が設けられてなる画像形成装置において，
上記排紙部から排出されたシートに上記更なる後処理を実行した後，上記第２のトレイに上記シートを排出する後処理工程において所定の不具合が検出された場合に，その後上記排紙部から排出するシートを上記後処理工程を経ることなく上記第１の排出トレイへ導き排出するショートカット排出手段の制御部を備えてなることを特徴とする画像形成装置。
【発明の詳細な説明】
【技術分野】
【０００１】
本発明は，画像形成システム並びに該画像形成システムを構成する後処理装置及び画像形成装置に関し，特に，後処理装置においてシート詰まり等の不具合が生じた場合であっても，画像形成処理及び画像形成済みシートの排出を続行できる画像形成システムに関する。
【背景技術】
【０００２】
複写機，ＦＡＸ装置等の画像形成装置は，これら画像形成装置によって画像形成処理がなされたシートに対して，例えばステープル処理を施す，仕分け（ソート）処理を施す等，種々の更なる後処理を実行するための後処理装置と連結されて使用されることがある。即ち，上記画像形成装置と上記後処理装置とによって画像形成システムが構成されることがある。
従来の画像形成システムにおいては，上記後処理装置でシート詰まりが発生した場合には，シート詰まり状態が更に悪化するのを防ぐため，直ちに後処理装置内のすべてのシート搬送路の搬送系駆動モータが停止される。このため，シート詰まり発生後は，これが解消されるまでは，上記画像形成システムによる処理を実行できないという問題があった。
このような問題を解決する技術として，上記更なる後処理を受けないシートをプルーフトレイに排出する上搬送路と上記更なる後処理を受けるシートを搬送する下搬送路とを設け，これら搬送系の駆動モータを別々のものとすることにより，上記下搬送路で紙詰まりが生じた場合には，上記下搬送路の搬送系駆動モータは停止する一方，上記上搬送路の駆動モータは動作させることにより，紙詰まり状態の更なる悪化を避けつつ，プルーフトレイにシートを排出する技術が開示されている。また，上記上搬送路及び下搬送路の搬送系駆動モータを一つのモータで構成した場合であっても，上記下搬送路に設けられ，シートを搬送する役割を担う搬送コロと搬送従属コロとの間のコロ圧を解除することで，同様に紙詰まり状態の更なる悪化を避けつつ，プルーフトレイにシートを排出する技術も開示されている（いずれも，特許文献１参照）。
あるいは，後処理装置に一又は複数の予備の後処理部を設け，たとえ一の後処理部でシート詰まりが発生したとしても，他の後処理部で後処理並びに排紙を実行できるという，冗長性を持たせた構成も知られている（例えば，特許文献２参照）。
さらには，ステープルトレイ内に用紙が収容されている場合であっても，割り込みで，上記更なる後処理を受けないシートをストレート排紙する技術もあり（例えば，特許文献３参照），この技術によれば，上記ステープルトレイでシート詰まりが発生していても，後処理を受けない用紙を排紙トレイへストレート排紙することができると考えられる。
【特許文献１】特開平６−２７１１８７号公報
【特許文献２】特開平１１−２９２３９１号公報
【特許文献３】特開平１０−２５０９１０号公報
【発明の開示】
【発明が解決しようとする課題】
【０００３】
このように，上記特許文献１ないし３に記載の技術をはじめ，画像形成システムにおいて，後処理装置でシート詰まりが発生した後であっても，シートを排紙トレイへ排紙できるようにする工夫が多く存在する。これは，シート詰まりを解消する作業が煩雑であるため，シート詰まり発生後であっても，このような作業を行なうことなく，たとえ後処理を実行することはできないにしても，最低限，排紙トレイへシートを排出できる搬送路を確保したいという要望が強いからに他ならない。
上記のように後処理装置側でシート詰まりを生じると後処理装置側の制御部が制御不能となる場合がある。その場合，制御機能に問題のない画像形成装置側の制御部に後処理装置側の一部の制御を任せることが合理的である場合が多々ある。
また，上記後処理装置における不具合としては，上記のようなシート詰まりが最も頻繁に発生する不具合であると言えるが，他にも，例えば後処理装置に設けられ該後処理装置の制御を司るＣＰＵが暴走する等によって，制御が不能になるというトラブルが発生することがある。このような場合にも，制御機能に問題のない画像形成装置側の制御部に後処理の制御を任せることが出来れば，画像形成装置の基本的機能は続行できて，業務に与える支障を最小限に抑えることが出来る。
このように後処理装置全体或いはその一部の制御が不能となるトラブルが発生した場合に，後処理装置の一部の機能を画像形成装置側に任せて画像形成処理済みのシートを排紙トレイへ排紙するための技術については，上記特許文献１ないし３をはじめ，開示されていない。
本発明は，上記事情に鑑みてなされたものであり，シート詰まりの発生などにより，後処理装置の制御が不能となるトラブルが発生した場合であっても，最低限，画像形成処理済みのシートを排紙トレイへ排出するための搬送路を確保することができる画像形成システム並びに該画像形成システムを構成する後処理装置及び画像形成装置を提供することを目的とする。
また，上記特許文献２に記載の技術のように冗長性を持たせた構成は採用せず，なるべく低コスト且つ簡易な構成で，上記のような画像形成システムを提供することを目的とする。
【課題を解決するための手段】
【０００４】
画像形成装置と，該画像形成装置に設けられた排紙部から排出される画像形成済みシートに対して更なる後処理を実行する後処理装置とが連結されて構成された画像形成システムにおいて，上記画像形成装置から排出された後，上記更なる後処理を受けないシートが排出される第１の排紙トレイと，上記画像形成装置から排出された後，上記更なる後処理を受けたシートが排出される第２の排紙トレイと，が上記後処理装置に設けられ，上記排紙部から排出されたシートに上記更なる後処理を実行した後，上記第２のトレイに上記シートを排出する後処理工程に所定の不具合が検出された場合に，その後上記排紙部から排出されるシートを上記後処理工程を経ることなく上記第１の排紙トレイへ導き排出するショートカット排出手段の制御部が上記画像形成装置内に設けられてなることを特徴とする画像形成システムとして構成されている。
このような構成により，シート詰まりが発生した場合だけでなく，後処理装置の制御が不能となるトラブルが発生した場合であっても，最低限，シートを排紙トレイへ排出するための搬送路を確保することができる。
【０００５】
また，上記後処理装置が，上記排紙部から排出されたシートを上記後処理工程を経由させるための後処理搬送路又は上記排紙部から排出されたシートを上記後処理工程を経ることなく上記第１の排紙トレイへ導き排出するストレート工程を経由させるためのストレート処理搬送路のいずれを用いるかを切り換える搬送路切換手段と，上記シートを上記ストレート処理搬送路に沿って搬送する第１の搬送手段と，上記シートを上記後処理搬送路に沿って搬送する第２の搬送手段と，上記後処理工程における所定の不具合を検出する不具合検出センサと，を備え，上記不具合検出センサにより上記後処理工程における上記所定の不具合が検出された場合には，上記搬送路切換手段が，上記排紙部から排出されたシートを上記ストレート処理搬送路へ導くように搬送路を切り換えると共に，上記ショートカット排出手段の制御部が，上記第１の搬送手段を制御して，上記排紙部から排出された上記シートを，上記ストレート処理搬送路を経由して第１の排出トレイに排出するものであれば望ましい。
【０００６】
常時は上記第２の搬送手段を制御可能な第１の後処理装置側制御手段が上記後処理装置側に設けられ，上記ショートカット排出手段の制御部が，画像形成装置全般の制御を司ると共に，常時上記第１の搬送手段を制御し，上記不具合検出センサにより上記後処理工程における所定の不具合が検出された場合には，上記排紙部から排出されたシートを上記搬送路切換手段によって切り換えられた上記ストレート処理搬送路を経由して上記第１の排出トレイに排出するものであっても良い。
この場合において，上記不具合検出センサにより上記後処理工程における所定の不具合が検出された場合には，上記ショートカット排出手段の制御部が，上記搬送路切換手段を制御して搬送路の切り換えを行ってなれば好適である。
または，上記不具合検出センサにより上記後処理工程における所定の不具合が検出された場合には，上記第１の後処理装置側制御手段が，上記搬送路切換手段を制御して搬送路の切り換えを行ってなっても良い。
【０００７】
あるいは，常時は上記第１の搬送手段と第２の搬送手段とを共に制御可能な第２の後処理装置側制御手段が，上記後処理装置に設けられ，上記ショートカット排出手段の制御部が，画像形成装置全体の制御を司ると共に，少なくとも上記第１の搬送手段を制御可能であり，且つ上記不具合検出センサにより上記後処理工程における所定の不具合が検出された場合には，少なくとも上記第１の搬送手段の制御を上記第２の後処理装置側制御手段から上記自らの制御に切り換え，排紙部から排出されたシートを上記搬送路切換手段により切り換えられた上記ストレート処理搬送路を経由して上記第１の排紙トレイに排出するものであっても良い。
上記ショートカット排出手段の制御部が，上記第１の搬送手段に加え，上記第２の搬送手段を制御可能であり，且つ上記不具合検出センサにより上記後処理工程における所定の不具合が検出された場合には，上記第１の搬送手段の制御に加え，上記第２の搬送手段の制御を上記第２の後処理装置側制御手段から上記自らの制御に切り換えるものであっても良い。
この場合において，上記不具合検出センサにより上記後処理工程における所定の不具合が検出された場合には，上記ショートカット排出手段の制御部が，上記搬送路切換手段を制御して搬送路の切り換えを行ってなれば好適である。
または，上記不具合検出センサにより上記後処理工程における所定の不具合が検出された場合には，上記第２の後処理装置側制御手段が，上記搬送路切換手段を制御して搬送路の切り換えを行なってなっても良い。
【０００８】
上記第１のトレイ及び上記第２のトレイが同一のトレイからなっていても良い。
【０００９】
本発明は，上記画像形成システムを構成する後処理装置及び画像形成装置それぞれ単体での発明として捉えられても良い。
すなわち，画像形成装置と連結され，該画像形成装置に設けられた排紙部から排出される画像形成済みシートに対して更なる後処理を実行する後処理装置において，上記画像形成装置から排出された後，上記更なる後処理を受けないシートが排出される第１の排紙トレイと，上記画像形成装置から排出された後，上記更なる後処理を受けたシートが排出される第２の排紙トレイと，が設けられ，上記排紙部から排出されたシートに上記更なる後処理を実行した後，上記第２のトレイに上記シートを排出する後処理工程に所定の不具合が検出された場合に，上記画像形成装置側の制御部からの制御により，その後上記排紙部から排出されるシートを上記後処理工程を経ることなく上記第１の排紙トレイへ導き排出することを特徴とする後処理装置として捉えられても良い。
また，排出された画像形成済みシートに対して更なる後処理を実行し，
画像形成装置から排出された後，上記更なる後処理を受けないシートが排出される第１の排紙トレイと，画像形成装置から排出された後，上記更なる後処理を受けたシートが排出される第２の排紙トレイと，が設けられた後処理装置と連結され，上記画像形成済みシートを上記後処理装置へ排出する排紙部が設けられてなる画像形成装置において，上記排紙部から排出されたシートに上記更なる後処理を実行した後，上記第２のトレイに上記シートを排出する後処理工程において所定の不具合が検出された場合に，その後上記排紙部から排出するシートを上記後処理工程を経ることなく上記第１の排出トレイへ導き排出するショートカット排出手段の制御部を備えてなることを特徴とする画像形成装置として捉えられても良い。
【発明の効果】
【００１０】
以上のように，本発明によれば，シート詰まり若しくは後処理装置の制御が不能となるトラブルが発生した場合であっても，最低限，シートを排紙トレイへ排出するための搬送路を確保することができる。したがって，上記トラブルを解消することができなくても，画像形成システムにおける画像形成処理を続行することが可能となる。
また，冗長性を持たせた構成は採用されておらず，低コスト且つ簡易な構成で，このような画像形成システムを提供することが可能である。
【発明を実施するための最良の形態】
【００１１】
以下，添付図面を参照しながら，本発明の実施の形態及び実施例について説明し，本発明の理解に供する。尚，以下の実施の形態及び実施例は，本発明を具体化した一例であって，本発明の技術的範囲を限定する性格のものではない。
ここに，図１は本発明の実施の形態に係る画像形成システムＳの概略構成を示す概略構成図，図２は上記画像形成システムＳ−１の制御系の概略構成を示すブロック図，図３は，上記画像形成システムＳ−１の制御系によって実行される制御手順の一例を示すフロー図である。
【００１２】
まず，図１の概略構成図を用いて，本発明の実施の形態に係る画像形成システムＳの概略構成について説明する。図１に示されるように，本発明の実施の形態に係る画像形成システムＳは，画像形成装置Ｘと，該画像形成装置Ｘに設けられた排紙部１１１から排出される画像形成済みのシートに対して，例えばステープル処理，仕分け（ソート）処理等，更なる後処理を実行する後処理装置ＤＦとが連結されて構成されている。
上記後処理装置ＤＦには，上記更なる後処理を実行する後処理実行部（３１０及び３２０）と，上記更なる後処理を受けないシートが排出される第１の排紙トレイ４１０と，上記更なる後処理を受けたシートが排出される第２の排紙トレイ４２０及び４３０とが設けられている。
上記画像処理装置Ｘの排紙部１１１から排出されたシートのうち，上記更なる後処理を受けないシートは，ストレート処理搬送路５１０を通って，上記第１の排紙トレイ４１０に排出される（上記ストレート処理搬送路を経てシートが排出される工程がストレート工程に相当）。
一方，上記排紙部１１１から排出されたシートのうち，上記更なる後処理の一例であるステープル処理が施されるシートは，後処理搬送路５２０を通ってステープラ３１１と中間トレイ３１２とによって構成されるステープルユニット３１０に導かれ，ここでステープル処理が施された後，再び後処理搬送路５２０を通って，上記第２の排紙トレイ４２０へと排出される（上記のようなステープル処理を行なう工程が後処理工程の一例）。
また，上記更なる後処理の他の一例であるソート処理が施されるシートは，後処理搬送路５３０を通って複数のビン（図１に示す例では，４３１ないし４３４）のうち対応するいずれかのビンに収容されることで仕分け処理がなされる。例えば，上記複数のビン４３１ないし４３４がレール３２２に沿って上下動自在に設けられており，上記対応するいずれかのビンがシート排出口の位置に移動してきたときに，上記シート排出口近傍に設けられた排出ローラ３２１が動作することによって，シートが上記対応するビンに収容される（上記のようなソート処理を行なう工程が後処理工程の他の一例）。このように上記更なる後処理がソート処理である例においては，上記複数のビン４３１ないし４３４は，上記排出ローラ３２１，上記レール３２２と共にソートユニット３２０を構成し，かつ上記第２の排紙トレイ４３０そのものでもある。
【００１３】
上記排紙部１１１から排出されたシートは，後述するソレノイド６００と連結されることで揺動可能に設けられた切換爪６１１，６１２の方向に応じて，上記ストレート処理搬送路５１０又は上記後処理搬送路５２０，５３０のいずれかへ搬入される。すなわち，後述するソレノイド６００と切換爪６１１，６１２とによって，上記ストレート処理搬送路５１０又は上記後処理搬送路５２０，５３０のいずれを用いるかが切り換えられる（上記ソレノイド６００と切換爪６１１，６１２とが搬送路切換手段の一例に相当）。
上記ストレート処理搬送路５１０にはシートを搬送するための搬送ローラ７１１，７１２が設けられている。後述するモータ７００によってこれら搬送ローラ７１１，７１２が駆動されると，シートは，このストレート処理搬送路５１０に沿って，上記第１の排出トレイ４１０方向へと導かれる（上記モータ７００と搬送ローラ７１１，７１２とが第１の搬送手段の一例に相当）。また，上記後処理搬送路５２０及び５３０にも同様に搬送ローラ７２１，７２２及び７３１，３２１がそれぞれ設けられ，これら搬送ローラが後述するモータ７０１によって駆動されることで，シートはこの後処理搬送路５２０又は５３０に沿って，上記後処理工程を経た後，上記第２の排出トレイ４２０又は４３０方向へと導かれる（上記モータ７０１と搬送ローラ７２１，７２２等とが第２の搬送手段の一例に相当）。
【００１４】
次に図２のブロック図を用いて，本発明の実施の形態に係る画像形成システムＳ−１の制御系の概略構成について説明する。図２に示されるように画像形成装置Ｘ側には画像形成装置側制御部１０（ショートカット排出手段の制御部の一例）が，後処理装置ＤＦ側には後処理装置側制御部２０（第１の後処理装置側制御手段の一例）がそれぞれ設けられている。
ここでは，本発明の実施の形態の一例として，第１の搬送手段が常時ショートカット排出手段の制御部に制御され，第２の搬送手段が常時は第１の後処理装置側制御手段に制御される構成について説明する。
画像形成装置側制御部１０は，画像形成装置Ｘ全般の処理を司ると共に，上記後処理装置側制御部２０と結線され，上記後処理装置側制御部２０との間で通信を行なう。また，搬送路切換手段の一例である上記切換爪６１１，６１２と連結されてこれら切換爪を揺動させるソレノイド６００，及び上記ストレート処理搬送路５１０に沿ってシートを搬送するための第１の搬送手段の一例である搬送ローラ７１１，７１２と連結されてこれら搬送ローラを回転させるモータ７００とも結線されており，これらの動作を制御する。さらに，後処理工程における不具合が発生しているか否かを判断するために用いられるタイマーＴ１を有している。
尚，ここでは，簡素化のためにソレノイド６００及びモータ７００をそれぞれ一つずつ図示しているが，通常ソレノイド６００は上記切換爪の数に応じて配置される。また，一つのモータ７００によって全ての搬送ローラを駆動する構成としても良いし，複数のモータ７００によって搬送ローラを駆動する構成としても良い。このように，モータ・ソレノイドを複数設けた構成であっても良く，このような場合であっても，本発明の範囲内である。
後処理装置側制御部２０は，常時は，例えば，上記後処理搬送路５２０，５３０に沿ってシートを搬送するための搬送ローラ７２１，７２２（第２の搬送手段の一例）等を回転させるモータ，ステープラ３１１を動作させるソレノイドのように，後処理装置ＤＦにおける可動部を動作させるモータ・ソレノイド等であって，上記ソレノイド６００・モータ７００以外のモータ６０１・ソレノイド７０１（以下，「その他のモータ等」と言う）の動作を制御する。
この場合も，同様に，上記その他のモータ等を複数設けた構成であっても良い。
また，後処理装置ＤＦには，不具合検出センサ８００が設けられている。この不具合検出センサ８００は，上記後処理搬送路５２０，５３０及び上記後処理実行部３１０，３２０近傍に複数設けられ，例えば，あるシートが同じ位置から動かない場合にシート詰まりが発生していることを検出する等，上記後処理工程におけるシート詰まりを一例とする所定の不具合を検出するためのセンサである。
【００１５】
続いて，図１及び図２を参照しつつ，図３のフロー図を用いて，本発明の実施の形態に係る画像形成システムＳ−１の制御系（上記画像形成装置側制御部１０及び上記後処理装置側制御部２０）による制御の手順を説明する。
図３（ａ）及び（ｂ）は上記画像形成装置側制御部１０（ショートカット排出手段の制御部の一例）及び上記後処理装置側制御部２０（第１の後処理装置側制御手段の一例）による制御手順をそれぞれ示す。はじめに，図３（ａ）を用いて上記画像形成装置側制御部１０による制御手順を説明する。
図３（ａ）に示されるように，通常の画像形成処理時には，画像形成システムＳ−１の図示しない操作部上で画像形成処理を開始するためのスタートキーが押下されると，上記画像形成装置側制御部１０は，画像形成処理を実行し（ステップＳ１０１），画像形成済みのシートを排紙部１１１から排出する（ステップＳ１０２）。
この排紙部１１１から排出されるシートに所定の更なる後処理を実行するよう指令がなされている場合（ステップＳ１０３においてＹＥＳ），上記ソレノイド６００を作動させることで切換爪６１１及び／若しくは６１２の方向を変え，上記後処理搬送路５２０若しくは５３０へとシートを導く（ステップＳ１０４）。
さらに，上記後処理装置側制御部２０と通信を行い，上記後処理装置ＤＦが上記所定の更なる後処理を行なうよう信号を送信し（ステップＳ１０５），その後の制御は上記後処理装置側制御部２０に委ねられる。
また，上記画像形成装置側制御部１０は，上記信号送信（ステップＳ１０５）後に画像形成装置側制御部１０に設けられた上記タイマーＴ１を駆動する（ステップＳ１０９）。タイマーＴ１の設定時間は，１回の後処理が順調に完了するに要する時間に設定されている。
次に画像形成装置側制御部１０は，不具合検出センサ８００からの不具合の発生検出信号の受信を上記タイマーＴ１の設定時間分だけ待つ（ステップＳ１１０，Ｓ１１１）。ステップＳ１１０において不具合の検出がないままにタイマーＴ１がタイムアップしたと判断（不具合はないと判断）した場合（ステップＳ１１１においてＹＥＳ）には，処理を終了する。
一方，上記所定の更なる後処理を実行するよう指令がなされていない場合（ステップＳ１０３においてＮＯ），画像形成装置側制御部１０は上記ソレノイド６００を作動させることで切換爪６１１及び／若しくは６１２の方向を変え，上記ストレート処理搬送路５１０へとシートを導く（ステップＳ１０６）。その後，上記モータ７００によって上記搬送ローラ７１１及び７１２（第１の搬送手段の一例）を駆動する（ステップＳ１０７）ことにより，シートを第１の排紙トレイ４１０に排出する（ステップＳ１０８）。
次に，図３（ｂ）を用いて上記Ｓ１０５における信号を受信した後の上記後処理装置側制御部２０による制御手順を説明する。
図３（ｂ）に示されるように，上記ステップＳ１０５において上記画像形成装置側制御部１０から送られた上記信号を上記後処理装置側制御部２０が受信すると（ステップＳ２０１），後処理装置側制御部２０は上記モータ７０１を駆動し，上記搬送ローラ７２１，７２２又は７３１，３２１（第２の搬送手段の一例）を駆動する（ステップＳ２０２）。これによりシートは，上記後処理実行部３１０又は３２０へと搬入されるので，上記後処理装置側制御部２０は所定の上記更なる後処理を実行する（ステップＳ２０３）。後処理が完了すると上記後処理装置側制御部２０は，シートを上記後処理搬送路５２０若しくは５３０を経て，上記第２の排紙トレイ４２０又は４３０に排出する（ステップＳ２０４）。
一方，上記ステップＳ２０１ないしＳ２０４の後処理工程中にシート詰まり等の不具合が生じた場合には，不具合検出センサ８００がこれを検出し，その信号は，画像形成装置側制御部１０に伝えられる。上記ステップＳ１１１のタイマーＴ１によるタイムアップ判断より前（即ち，後処理の途中）にステップＳ１１０において不具合検出センサ８００からの不具合信号を画像形成装置側制御部１０が受信した場合，画像形成装置側制御部１０はそれまで後処理搬送路側へ切り換えられていたソレノイド６００をストレート処理搬送路５１０側へ切り換える（ステップＳ１１２）。
その後，画像形成装置側制御部１０は，後処理指令をオフにすると共にその信号を後処理装置側制御部２０へ伝え，該後処理装置側制御部２０の制御動作を停止させる（ステップＳ１１３）。
また，画像形成装置側制御部１０は，次の画像形成処理があるか否かを判断し，画像形成処理がなければ（ステップＳ１１４においてＮＯ），処理を終了する。次の画像形成処理があれば（ステップＳ１１４においてＹＥＳ），処理をステップＳ１０１に戻し，画像形成処理を実行する。この場合，排紙部１１１から排出されるシートは，上記ステップＳ１１３で後処理指令がオフされているので，ステップＳ１０９に示すようにストレート処理搬送路５１０へ導かれ，第１の排紙トレイ４１０へ排出される。
このとき，ステップＳ１１２で示したようにソレノイド６００がストレート処理搬送路５１０側へ切り換えられているので，シートはストレート処理搬送路５１０へ導かれ，シート詰まりを生じることはない。
このように，この実施の形態においては，ソレノイド６００及び切換爪６１１，６１２（搬送路切換手段の一例），並びにモータ７００及び搬送ローラ７１１，７１２（第１の搬送手段の一例）は，通常時及び不具合発生後に拘らず，常時上記画像処理装置側制御部１０によって制御されているため，たとえ，上記後処理装置側制御部２０の制御が不能となるような不具合が発生した場合であっても，上記の手順によって，画像形成済みのシートを第１の排紙トレイ４１０へ排出することができる。
以上示したように，後処理工程（上記排紙部１１１から排出されたシートに所定の更なる後処理を実行した後，上記第２の排出トレイ４２０若しくは４３０に上記シートを排出する工程）に所定の不具合が検出された場合に，その後上記排紙部１１１から排出するシートを上記後処理工程を経ることなく上記第１の排紙トレイへ導き排出するための構成がショートカット排出手段であり，その制御は，上記画像形成装置側制御部１０が担っている。
以下の実施例においては，上記ショートカット排出手段の他の構成例について説明する。
【実施例１】
【００１６】
上記実施の形態においては，上記後処理装置側制御部２０の制御が完全に不能となった場合であっても上記第１の排紙トレイへ画像形成済みシートを排出することができるよう，上記搬送路切換手段の一例である切換爪６１１及び６１２の方向を変えるソレノイド６００及び上記第１の搬送手段の一例である搬送ローラ７１１，７１２を駆動するモータ７００が，共に上記画像形成装置側制御部１０によって常時制御されるよう構成されていたが，次に述べる実施例では，上記ソレノイド６００（すなわち搬送路切換手段）が，上記後処理装置側制御部２０によって制御される構成について，図４のブロック図及び図５のフロー図を用いて説明する。
図４に示されるように，本発明の第１の実施例に係る画像形成システムＳ−２においては，上記実施の形態同様，画像形成装置Ｘ側には画像形成装置側制御部１０が，後処理装置ＤＦ側には後処理装置側制御部２０がそれぞれ設けらている。
画像形成装置側制御部１０は，画像形成装置Ｘ全般の処理を司ると共に，上記後処理装置側制御部２０と結線され，上記後処理装置側制御部２０との間で通信を行なう点，また，上記ストレート処理搬送路５１０に沿ってシートを搬送するための第1の搬送手段の一例である搬送ローラ７１１，７１２と連結されてこれらを回転させるモータ７００と結線されて動作を制御する点，及び後処理装置ＤＦ内に，上記所定の不具合を検出する不具合検出センサ８００が設けられている点も，上記実施の形態と同様である。
一方，上記画像形成システムＳ−２においては，上記その他のモータ等（ソレノイド６０１，モータ７０１）に加えて，搬送路切換手段の一例である上記切換爪６１１，６１２と連結されてこれら切換爪を揺動させるソレノイド６００が上記後処理装置側制御部２０と結線され，これによって制御される点が異なる。
また，上記実施の形態に係る画像形成システムＳ−１においては，上記不具合検出センサ８００からの信号が画像形成装置側制御部１０のみに送信されれば足りていたが，上記画像形成システムＳ−２においては，上記不具合検出センサ８００からの信号が後処理装置側制御部２０へも送信される。
さらに，後処理装置側制御部２０が，後処理工程における不具合が発生しているか否かを判断するために用いられるタイマーＴ２を有している。
【００１７】
続いて，図１及び図４を参照しつつ，図５のフロー図を用いて，本発明の第１の実施例に係る画像形成システムＳ−２の制御系（上記画像形成装置側制御部１０及び上記後処理装置側制御部２０）による制御の手順を説明する。
図５（ａ）及び（ｂ）は上記画像形成装置側制御部１０（ショートカット排出手段の制御部の一例）及び上記後処理装置側制御部２０（第１の後処理装置側制御手段の一例）による制御手順をそれぞれ示す。はじめに，図５（ａ）を用いて上記画像形成装置側制御部１０による制御手順を説明する。
図５（ａ）に示されるように，画像形成装置側制御部１０は，ステップＳ３０１，Ｓ３０２においては，上記図３（ａ）のステップＳ１０１，Ｓ１０２と同様，画像形成処理及び画像形成処理済シートの排出を行なう。
次に，画像形成装置Ｘの排紙部１１１から排出されるシートに所定の更なる後処理を実行するよう指令がなされている場合（ステップＳ３０３においてＹＥＳ），画像形成装置側制御部１０は，上記後処理装置側制御部２０に対して，後処理装置ＤＦが所定の更なる後処理を行なうよう信号を送信し（ステップＳ３０４），その後の制御は上記後処理装置側制御部２０に委ねられる。
また，上記画像形成装置側制御部１０は，上記信号送信（ステップＳ３０４）後に画像形成装置側制御部１０に設けられたタイマーＴ１を駆動する（ステップＳ３０７）。タイマーＴ１の設定時間は，１回の後処理が順調に完了するに要する時間に設定されている。
次に画像形成装置側制御部１０は，不具合検出センサ８００からの不具合の発生検出信号の受信を上記タイマーＴ１の設定時間分だけ待つ（ステップＳ３０８，Ｓ３０９）。ステップＳ３０８において不具合の検出がないままにタイマーＴ１がタイムアップしたと判断（不具合はないと判断）した場合（ステップＳ３０９においてＹＥＳ）には，処理を終了する。
上記ステップＳ３０９のタイマーＴ１によるタイムアップ判断より前（即ち，後処理の途中）にステップＳ３０８において不具合検出センサ８００からの不具合信号を画像形成装置側制御部１０が受信した場合（ステップＳ３０８においてＹＥＳ），画像形成装置側制御部１０は，後処理指令をオフにする（ステップＳ３１０）。
また，画像形成装置側制御部１０は，次の画像形成処理があるか否かを判断し，画像形成処理がなければ（ステップＳ３１１においてＮＯ），処理を終了する。次の画像形成処理があれば（ステップＳ３１１においてＹＥＳ），処理をステップＳ３０１に戻し，画像形成処理を実行する。この場合，排紙部１１１から排出されるシートは，ステップＳ３１０で後処理指令がオフされているので，後述するステップＳ４０６に示すようにストレート処理搬送路５１０へ導かれ，第１の排紙トレイへ排出される。
一方，上記所定の更なる後処理を実行するよう指令がなされていない場合（ステップＳ３０３においてＮＯ），画像形成装置側制御部１０が上記モータ７００によって上記搬送ローラ７１１及び７１２（第１の搬送手段の一例）を駆動する（ステップＳ３０５）ことにより，シートを第１の排紙トレイ４１０に排出する（ステップＳ３０６）。
次に，図３（ｂ）を用いて上記Ｓ３０４における信号を受信した後の上記後処理装置側制御部２０による制御手順を説明する。
図３（ｂ）に示されるように，上記ステップＳ３０４において上記画像形成装置側制御部１０から送られた上記信号を上記後処理装置側制御部２０が受信する（ステップＳ４０１）。この信号を受けて，所定の後処理を実行するよう指令がなされている場合は（ステップＳ４０２においてＹＥＳ），後処理装置側制御部２０は，上記ソレノイド６００を作動させることで切換爪６１１及び／若しくは６１２の方向を変え，上記後処理搬送路５２０若しくは５３０へとシートを導き（ステップＳ４０３），続いて，上記モータ７０１を駆動し，上記搬送ローラ７２１，７２２又は７３１，３２１（第２の搬送手段の一例）を駆動する（ステップＳ４０４）。これによりシートは，上記後処理実行部３１０又は３２０へと搬入されるので，上記後処理装置側制御部２０は所定の上記更なる後処理を実行する（ステップＳ４０５）。一方，所定の後処理を実行するよう指令がなされていない場合，上記ソレノイド６００を作動させることで切換爪６１１及び／若しくは６１２の方向を変え，上記ストレート処理搬送路５１０へとシートを導き（ステップＳ４０６），第１の排出トレイ４１０へシートを排出する。
上記ステップＳ４０５における後処理の開始に当たって，上記後処理装置側制御部２０は，該後処理装置側制御部２０に設けられたタイマーＴ２を駆動する（ステップＳ４０７）。タイマーＴ２の設定時間は，上記タイマーＴ１と同様に，１回の後処理が順調に完了するに要する時間に設定されている。ただし，上記タイマー１上記ステップＳ３０４における信号送信後に駆動されるのに対し，タイマーＴ２は上記Ｓ４０５における後処理の開始に当たって駆動され，始動時が異なっているため，設定されている時間は若干異なる。
次に後処理装置側制御部２０は，不具合検出センサ８００からの不具合の発生検出信号の受信を上記タイマーＴ２の設定時間分だけ待つ（ステップＳ４０８，Ｓ４０９）。ステップＳ４０８において不具合の検出がないままにタイマーＴ２がタイムアップしたと判断（不具合はないと判断）した場合（ステップＳ４０９においてＹＥＳ）には，上記後処理を受けたシートを，上記後処理搬送路５２０若しくは５３０を経て，上記第２の排紙トレイ４２０又は４３０に排出し（ステップＳ４１２），処理を終了する。
一方，上記ステップＳ４０５から始まる後処理工程中にシート詰まり等の不具合が生じた場合（ステップＳ４０８においてＹＥＳ）には，不具合検出センサ８００がこれを検出し，その信号は，後処理装置側制御部２０に伝えられ，後処理装置側制御部２０はそれまで後処理搬送路側へ切り換えられていたソレノイド６００をストレート処理搬送路５１０側へ切り換え（ステップＳ４１０），該後処理装置側制御部２０の制御動作を停止させる（ステップＳ４１１）。
一方，画像形成装置側制御部１０は，図５（ａ）のステップＳ３０８で前述のように不具合発生を知らされると，上記ステップＳ３１０において後処理指令をオフした後，次の画像形成処理あるかどうかを調べる（ステップＳ３１１）。次の画像形成処理があれば，前述の如く処理がＳ３０１へ戻るが，このような場合（ステップＳ３１１においてＹＥＳ）であっても，排紙部１１１から排出されるシートは，ステップＳ３１０で後処理指令がオフされているので，後述するステップＳ４０６に示すようにストレート処理搬送路５１０へ導かれ，第１の排紙トレイ４１０へ排出される。
このとき，ステップＳ４１０で示したようにソレノイド６００がストレート処理搬送路５１０側へ切り換えられているので，シートはストレート処理搬送路５１０へ導かれ，シート詰まりを生じることはない。
このように，この実施例においては，ソレノイド６００（搬送路切換手段の一例）は，後処理装置側制御部２０によって制御されているが，上記後処理装置側制御部２０の制御を停止する（ステップＳ４１１）前に上記ソレノイド６００をストレート処理搬送路側に切り換え（ステップＳ４１０），且つモータ７００（第１の搬送手段の一例）は画像形成装置側制御部１０によって制御されているため，不具合発生後であっても，画像形成済みのシートを第１の排紙トレイ４１０へ排出することができる。
【実施例２】
【００１８】
上記実施の形態及び実施例１においては，モータ７００（上記第１の搬送手段の一例）が画像形成装置側制御部１０と常時結線され，これによって制御されている構成について説明したが，ここでは，通常時は，上記モータ７００及び上記ソレノイド６００が後処理装置側制御部２０によって制御され，不具合発生後に制御系を切り換える構成について，図６ないし図９を用いて説明する。
図６に示されるように，画像形成装置Ｘ側には画像形成装置側制御部１０が，後処理装置ＤＦ側には第２の後処理装置側制御手段の一例であるＣＰＵ２１がそれぞれ設けられ，画像形成装置側制御部１０は，画像形成装置Ｘ全般の処理を司ると共に，上記ＣＰＵ２１と結線され，上記ＣＰＵ２１との間で通信を行なう（図６中Ａ線）。
本実施例に係る画像形成システムＳ−３においては，図６に示すように，上記その他のモータ等だけでなく，上記ソレノイド６００，上記モータ７００も上記後処理装置側制御部２０と結線されており，この後処理装置側制御部２０によって制御可能となるよう構成されている。具体的には，ＣＰＵ２１（第２の後処理装置側制御手段の一例）が画像形成装置側制御部１０から信号を受けて所定の出力をドライバ４１ないし４４に送ることでソレノイド６００，モータ７００を駆動する。
また，上記ソレノイド６００を駆動するドライバ４１及びモータ７００を駆動するドライバ４２は上記画像形成装置側制御部１０とも結線され，画像形成装置側制御部１０からも制御可能となるよう構成されている。
上記ＣＰＵ２１からの入力並びに上記画像形成装置側制御部１０からのリモート入力は，図６に示すように，否定論理積回路（ＮＡＮＤ回路）３１，３２を構成し，それぞれ上記ドライバ４１及び４２へ出力される。
図７は，上記否定論理積回路３１及び３２からの出力の状態を示す真理値表である。シート詰まりや制御部の制御不能等の生じていない通常時（ｒ端子への入力がＨＩＧＨ）は，図７（１）ないし（４）に示されるように，画像形成装置側制御部１０からのリモート入力（Ｃ，Ｄ線／端子ｃ，ｄへの入力）をすべてＨＩＧＨにしておく。ＣＰＵ２１は，画像形成装置側制御部１０からの信号を受け（Ａ線），所定の出力を行なう。このＣＰＵ２１からの出力は，否定論理積回路３１及び３２のそれぞれ端子ａ，ｂへ入力されるが，上記のように端子ｃ，ｄへの入力がすべてＨＩＧＨであるため，ドライバ４１及び４２への出力（それぞれ，端子ｅ，ｆ）は，上記ＣＰＵ２１からの出力が反転されたものである。
このように，通常時，上記ＣＰＵ２１は，画像形成装置側制御部１０から信号を受け（Ａ線），上記ソレノイド６００及びモータ７００を制御する。
一方，シート詰まりや制御部の制御不能等，上記所定の不具合が検出された場合，画像形成装置側制御部１０からＣＰＵ２１にリセット信号が送られる（Ｒ線／ｒ端子への入力がＬＯＷ）。図７（５）ないし（８）に示されるように，リセット信号を受けたＣＰＵ２１からの出力信号はすべてＨＩＧＨになり，ＣＰＵ２１がこのリセット信号を受けている間，上記画像形成装置側制御部１０は上記否定論理積回路３１及び３２へと直接リモート出力を行なう（Ｃ，Ｄ線）。この画像形成装置側制御部１０からのリモート出力は，否定論理積回路３１及び３２の端子ｃ，ｄへそれぞれ入力されるが，端子ａ，ｂへの入力がすべてＨＩＧＨであるため，ドライバ４１及び４２への出力（それぞれ，端子ｅ，ｆ）は，上記画像形成装置側制御部１０からの出力が反転されたものである。
このように上記所定の不具合が検出された場合には，画像形成装置側制御部１０が，ＣＰＵ２１にリセット信号を送ることで，モータ７００（第１の搬送手段の一例），ソレノイド６００（搬送路切換手段の一例）の制御を自らの制御に切り換えることができる。不具合検出後，画像形成装置側制御部１０が第１の搬送手段及び搬送路切換手段を共に制御して，第１の排紙トレイ４１０にシートを排出する処理の手順は，上記実施の形態同様，図３（ａ）のステップＳ１０９ないしＳ１１４に示される通りである。
尚，ここでは，図６に示すロジック回路を用いて制御系を切り換える例を示したが，この回路に限られるものではなく，要するに上記所定の不具合が検出された場合に，上記画像形成装置側制御部１０に制御主体が切り換わる構成であれば良い。また，このような制御をソフトウェアによって実現するものであっても本発明の範囲内である。
このような構成によれば，上記実施の形態と同様に，不具合発生後，上記後処理装置側制御部２０の制御が不能となった場合であっても，上記画像形成装置側制御部１０が第１の搬送手段，搬送路切換手段を制御するため，画像形成済みのシートを上記第１の排紙トレイ４１０に排出することが可能となる。
【００１９】
さらに，図８に示されるように，上記不具合検出センサ８００によって上記所定の不具合が検出された場合には,画像形成装置側制御部１０が，ＣＰＵ２１にリセット信号を送ることで，モータ７００（第１の搬送手段の一例），ソレノイド６００（搬送路切換手段の一例）に加え，モータ７０１（第２の搬送手段の一例），ソレノイド６０１の制御をも自らの制御に切り換える構成としても良い。
このような構成にすれば，例えば，ステープルユニット３１０においてシート詰まりが生じている場合であって，ソートユニット３２０においては不具合が生じていないような場合，後処理搬送路５３０へシートを導くことでソート処理を実行する等，不具合の生じていない一部の後処理を続行することも可能となる。
【００２０】
また，図９に示されるように，上記不具合検出センサ８００によって上記所定の不具合が検出された場合には，画像形成装置側制御部１０が，ＣＰＵ２１にリセット信号を送ることで，モータ７００（第１の搬送手段の一例）の制御のみを自らの制御に切り換え，上記ソレノイド６００（搬送路切換手段の一例）は，第２の後処理装置側制御手段の一例であるＣＰＵ２１が制御する構成としても良い。不具合検出後，画像形成装置側制御部１０が第１の搬送手段を制御して，第１の排紙トレイ４１０にシートを排出する処理の手順は，図５（ａ）のステップＳ３０７ないしＳ３１１，画像処理装置側制御部２０が搬送路切換手段を制御する処理の手順は，図５（ｂ）のステップＳ４０７ないしＳ４１２に示される通りである。
【実施例３】
【００２１】
上記実施の形態，実施例１及び２においては，第１の排出トレイ４１０と第２のトレイ４２０，４３０とがそれぞれ別のトレイとして設けられている場合についてのみ説明しているが，これらは，必ずしも物理的に別のトレイを指すものではなく，同一のトレイからなっていても良い。
例えば，図１０に示すように，上記第１の排出トレイ４１０と上記第２の排出トレイ４２０とが同一のトレイ４００からなっているような場合であっても本発明の範囲内である。
【図面の簡単な説明】
【００２２】
【図１】本発明の実施の形態に係る画像形成システムＳの概略構成を示す概略構成図。
【図２】本発明の実施の形態に係る画像形成システムＳ−１の制御系の概略構成を示すブロック図。
【図３】本発明の実施の形態に係る画像形成システムＳ−１の制御系によって実行される制御手順の一例を示すフロー図。
【図４】本発明の第１の実施例に係る画像形成システムＳ−２の制御系の概略構成を示すブロック図。
【図５】本発明の第１の実施例に係る画像形成システムＳ−２の制御系によって実行される制御手順の一例を示すフロー図。
【図６】本発明の第２の実施例に係る画像形成システムＳ−３において，不具合発生時に制御系を切り換える回路構成の一例を示す回路図。
【図７】図６の回路図におけるドライバ４１及び４２への出力の状態を示す真理値表。
【図８】本発明の第２の実施例に係る画像形成システムＳ−３において，不具合発生時に制御系を切り換える回路構成の他の一例を示す回路図。
【図９】本発明の第２の実施例に係る画像形成システムＳ−３において，不具合発生時に制御系を切り換える回路構成の他の一例を示す回路図。
【図１０】本発明の第３の実施例に係る画像形成システムＳ−４の概略構成を示す概略構成図。
【符号の説明】
【００２３】
１０・・・画像形成装置側制御部
２０・・・後処理装置側制御部
１１１・・・排紙部
３１０・・・ステープルユニット
３１１・・・ステープラ
３１２・・・中間トレイ
３２０・・・ソートユニット
３２１・・・排出ローラ（搬送ローラ）
３２２・・・レール
４１０・・・第１の排出トレイ
４２０，４３０・・・第２の排出トレイ
４３１〜４３４・・・ビン
５１０・・・ストレート処理搬送路
５２０，５３０・・・後処理搬送路
６００，６０１・・・ソレノイド
６１１，６１２・・・切換爪
７００，７０１・・・モータ
７１１，７１２，７２１，７２２，７３１・・・搬送ローラ
８００・・・不具合検出センサ
Ｓ・・・画像形成システム
Ｘ・・・画像形成装置
ＤＦ・・・後処理装置
Ｔ１，Ｔ２・・・タイマー
【図１】
2005306566.tif 000003
【図２】
2005306566.tif 000004
【図３】
2005306566.tif 000005
【図４】
2005306566.tif 000006
【図５】
2005306566.tif 000007
【図６】
2005306566.tif 000008
【図７】
2005306566.tif 000009
【図８】
2005306566.tif 000010
【図９】
2005306566.tif 000011
【図１０】
2005306566.tif 000012